(57)【要約】      （修正有）【課題】移動棚に設けたロック機構によって駆動輪の回転を制限する移動棚装置において、地震の震動を感知してロック機構を解除して自由にレール上を移動できよるようにして当該移動棚の倒壊を防止し、しかも誤作動がなく信頼性の高い移動棚装置における感震ロック解除装置を提供する。【解決手段】ロック機構は所定以上の外力を加えることにより解除し得る構造であり、移動棚１の台車１４の近傍に、下端に錘を２９設けた揺動部材２８を移動棚１の移動方向のみに揺動可能に枢支するとともに、錘２９の位置を台車１４の下端部に設定し、ロック機構の近傍にロック解除するための作動部材を移動可能に設け、揺動部材２８の揺動を感震伝達機構１３によって作動部材に伝達して作動させ、ロック機構のロックを解除する。【選択図】図２
2008162786.tif 000002
【特許請求の範囲】
【請求項１】
複数のレールに沿って複数の移動棚が、その下端に設けた駆動輪と単又は複数の従動輪がレール上を転動して互いに移動可能に配置され、隣接する移動棚が相対的に移動することによって、それらの間に所定幅の通路が形成され、移動棚に設けたロック機構によって前記駆動輪の回転を制限する移動棚装置であって、前記ロック機構は所定以上の外力を加えることにより解除し得る構造であり、前記移動棚の台車の近傍に、下端に錘を設けた揺動部材を移動棚の移動方向のみに揺動可能に枢支するとともに、該錘の位置を前記台車の下端部に設定し、前記ロック機構の近傍にロック解除するための作動部材を移動可能に設け、前記揺動部材の揺動を感震伝達機構によって前記作動部材に伝達して作動させ、前記ロック機構のロックを解除することを特徴とする移動棚装置における感震ロック解除装置。
【請求項２】
前記作動部材は、その移動方向に弾性付勢し、弾性付勢力に抗して作動部材を移動させた状態でラッチ手段によって係止すると同時に、前記ロック機構をロック状態にセットし、前記揺動部材の揺動を感震伝達機構によって伝達して前記ラッチ手段を解除することにより、弾性付勢力で前記作動部材を駆動して前記ロック機構のロックを解除してなる求項１記載の移動棚装置における感震ロック解除装置。
【請求項３】
前記ロック機構の操作レバーの回転軸に固定されたカム板の一部に該回転軸と直交するように突片を設け、前記作動部材は前記カム板の近傍にスライド移動可能に設けるとともに、移動方向に弾性付勢し、更に前記作動部材の一部に前記突片に当接して駆動する操作片を設けるとともに、端部に前記ラッチ手段を設けてなる請求項２記載の移動棚装置における感震ロック解除装置。
【請求項４】
前記ロック機構は、前記移動棚の前面パネルの中段位置に設け、前記感震伝達機構は、前面パネルの内部に回転可能に垂設したシャフトと、該シャフトの下端部に設け、前記揺動部材の揺動を回転に変換する回転変換手段と、前記シャフトの上端部に設け、該シャフトの回転で係脱する前記ラッチ手段とからなる請求項２又は３記載の移動棚装置における感震ロック解除装置。
【請求項５】
前記揺動部材、作動部材及び感震伝達機構を同一のプレートに装着してユニット化し、該感震ロック解除ユニットを前記移動棚のロック機構に関連付けて取付けてなる請求項１〜４何れかに記載の移動棚装置における感震ロック解除装置。
【発明の詳細な説明】
【技術分野】
【０００１】
本発明は、移動棚装置における感震ロック解除装置に係わり、更に詳しくは通常はロックして移動棚の移動を停止し、地震が発生したときにロックを解除して移動棚の移動を許容する移動棚装置における感震ロック解除装置に関するものである。
【背景技術】
【０００２】
従来から手動によって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置は各種提供されている。そして、各移動棚の正面に設けた操作ハンドルを使用者が操作し、操作ハンドルの回転力を駆動伝達系を介して車輪に伝達し、該車輪を回転駆動して所定の移動棚間又は側端部に配置した固定棚と移動棚間に通路を形成し、その通路内に使用者が入って該通路に面した出入面から書籍やファイル等の物品を出し入れするのである。
【０００３】
そして、特許文献１には、移動棚の側面に設けられてチェ−ンが掛回されたハンドル軸スプロケットのチェ−ンが掛けられない歯又は該スプロケットと同軸上のロック用歯車の歯に対し、先端側が進退できる姿勢でロックロッドを設け、該ロッドの軸線上に、該ロッドをロック時にロック方向に付勢しロック解除時に非ロック方向に付勢するスプリングと該スプリングの下方に位置し前記ロックロッドを非ロック方向にのみ付勢するスプリングとを配設すると共に、前記ロッドの後端側に、当該ロッド操作用のつまみ又はレバ−による操作部材を設け、該操作部材の回転運動の運動量を前記両スプリングに蓄えつつ前記ロックロッドの直線運動に変換する変換機構を、前記操作部材とロッド後端側の間に連結して設けたハンドル式移動棚のロック機構において、前記操作部材の回転軸に、該軸と直交する面内で震動により自由に揺動可能な部材を枢支して吊下すると共に、該揺動部材の上端側を、前記変換機構をロック解除側にのみ作動させる作動片に形成して当該変換機構の構成部材の一つに対設したことを特徴とするハンドル式移動棚の自動ロック解除機構が開示されている。
【０００４】
しかし、特許文献１のロック解除機構は、ロック機構を操作する操作部材の回転軸に、直接的に揺動部材を震動により自由に揺動可能に吊下げ、該揺動部材の上端側に設けた作動片をロック解除側にのみ作動させるように構成したものであるが、移動棚を停止中に書籍を出し入れしたり、通路を通行中に移動棚に軽く肩が振れたりするなどの人為的な僅かの震動によって、揺動部材が揺れて作動片が変換機構をロック解除側に作動させてしまうといった誤作動が起き易い。
【特許文献１】特許第３５４８６２４号公報
【発明の開示】
【発明が解決しようとする課題】
【０００５】
そこで、本発明が前述の状況に鑑み、解決しようとするところは、複数のレールに沿って複数の移動棚が、その下端に設けた駆動輪と単又は複数の従動輪がレール上を転動して互いに移動可能に配置され、隣接する移動棚が相対的に移動することによって、それらの間に所定幅の通路が形成され、移動棚に設けたロック機構によって前記駆動輪の回転を制限する移動棚装置において、地震の震動を感知してロック機構を解除して自由にレール上を移動できよるようにして当該移動棚の倒壊を防止し、しかも誤作動がなく信頼性の高い移動棚装置における感震ロック解除装置を提供する点にある。
【課題を解決するための手段】
【０００６】
本発明は、前述の課題解決のために、複数のレールに沿って複数の移動棚が、その下端に設けた駆動輪と単又は複数の従動輪がレール上を転動して互いに移動可能に配置され、隣接する移動棚が相対的に移動することによって、それらの間に所定幅の通路が形成され、移動棚に設けたロック機構によって前記駆動輪の回転を制限する移動棚装置であって、前記ロック機構は所定以上の外力を加えることにより解除し得る構造であり、前記移動棚の台車の近傍に、下端に錘を設けた揺動部材を移動棚の移動方向のみに揺動可能に枢支するとともに、該錘の位置を前記台車の下端部に設定し、前記ロック機構の近傍にロック解除するための作動部材を移動可能に設け、前記揺動部材の揺動を感震伝達機構によって前記作動部材に伝達して作動させ、前記ロック機構のロックを解除することを特徴とする移動棚装置における感震ロック解除装置を構成した（請求項１）。
【０００７】
そして、前記作動部材は、その移動方向に弾性付勢し、弾性付勢力に抗して作動部材を移動させた状態でラッチ手段によって係止すると同時に、前記ロック機構をロック状態にセットし、前記揺動部材の揺動を感震伝達機構によって伝達して前記ラッチ手段を解除することにより、弾性付勢力で前記作動部材を駆動して前記ロック機構のロックを解除してなるのである（請求項２）。
【０００８】
ここで、前記ロック機構の操作レバーの回転軸に固定されたカム板の一部に該回転軸と直交するように突片を設け、前記作動部材は前記カム板の近傍にスライド移動可能に設けるとともに、移動方向に弾性付勢し、更に前記作動部材の一部に前記突片に当接して駆動する操作片を設けるとともに、端部に前記ラッチ手段を設けてなることが好ましい（請求項３）。
【０００９】
また、前記ロック機構は、前記移動棚の前面パネルの中段位置に設け、前記感震伝達機構は、前面パネルの内部に回転可能に垂設したシャフトと、該シャフトの下端部に設け、前記揺動部材の揺動を回転に変換する回転変換手段と、前記シャフトの上端部に設け、該シャフトの回転で係脱する前記ラッチ手段とからなることがより好ましい（請求項４）。
【００１０】
更に、前記揺動部材、作動部材及び感震伝達機構を同一のプレートに装着してユニット化し、該感震ロック解除ユニットを前記移動棚のロック機構に関連付けて取付けてなるとより好ましい（請求項５）。
【発明の効果】
【００１１】
以上にしてなる請求項１に係る発明の移動棚装置における感震ロック解除装置は、移動棚の台車の近傍に、下端に錘を設けた揺動部材を移動棚の移動方向のみに揺動可能に枢支するとともに、該錘の位置を前記台車の下端部に設定したので、通常の移動棚に加わる人為的な揺れによっては前記揺動部材が殆ど揺動せず、それにより誤作動を防止することができ、地震が発生して床面が水平方向に揺れると前記揺動部材が大きく揺動するので、感震伝達機構を介して作動部材に伝達して作動させてロック機構のロックを解除することができる。ここで、前記ロック機構は所定以上の外力を加えることにより解除し得る構造であるので、前記作動部材が作動したときに前述の所定以上の外力を発生させるように設定しておけば、作動部材が作動してときに確実にロック機構のロックを解除することができる。それにより、地震が発生したときに、移動棚がレールに沿って移動することを許容することにより、移動棚の下端が拘束されないので、床面に大きな横揺れが発生しても移動棚の重量による慣性力で静止しようとするので、絶対的な揺れを最小限に抑制して倒壊を防止することができるのである。
【００１２】
請求項２によれば、前記作動部材は、その移動方向に弾性付勢し、弾性付勢力に抗して作動部材を移動させた状態でラッチ手段によって係止すると同時に、前記ロック機構をロック状態にセットするので、この弾性付勢力をロック機構のロックが解除する所定の外力以上に設定することにより、前記揺動部材の揺動を感震伝達機構によって伝達して前記ラッチ手段を解除することにより、弾性付勢力で前記作動部材を駆動して前記ロック機構のロックを確実に解除することができる。また、前記揺動部材と作動部材との間にラッチ手段を含む感震伝達機構を設けることにより、前記揺動部材の揺動が直接作動部材に伝達しないので、誤作動を防止することができる。
【００１３】
請求項３によれば、操作レバーを回転させて回転軸に固定されたカム板を回転変位させてロック機構をロック状態にする構造において、カム板の一部に該回転軸と直交するように設けた突片に、カム板の近傍にスライド移動可能に設けた作動部材の操作片が、該作動部材が弾性付勢力でスライド移動時に当接して駆動するようにしたので、前記ロック機構のロックを確実に解除することができる。
【００１４】
請求項４によれば、移動棚の前面パネルの中段位置にロック機構を設けているので、操作がし易く、また感震伝達機構は、揺動部材の揺動を回転変換手段でシャフトの回転に変換してラッチ手段を係脱する構造であるので、揺動部材の揺動を作動部材に伝達する際に位置エネルギーの増加がないので信頼性が高いものとなる。
【００１５】
請求項５によれば、前記揺動部材、作動部材及び感震伝達機構を同一のプレートに装着してユニット化し、該感震ロック解除ユニットを前記移動棚のロック機構に関連付けて取付けるようにしたので、移動棚のオプションとして後付けすることにより、通常の移動棚を耐震性の移動棚に容易に変更することができ、また予め必要部材を同一のプレートに取付けるので正確な位置設定が可能であり、各部材の連係動作が保障される。
【発明を実施するための最良の形態】
【００１６】
次に、添付図面に示した実施形態に基づき、本発明を更に詳細に説明する。図１は本発明に係る感震ロック解除装置を設けた手動式移動棚の全体斜視図、図２〜図１０はその詳細を示し、図中符号１は移動棚、２はレール、３は通路、４は駆動輪、５は従動輪、６は操作ハンドル、７は小径スプロケット、８は大径スプロケット、９はチェーン、１０は弛み防止手段、１１はロック機構、１２は操作レバー、１３は感震ロック解除機構をそれぞれ示している。
【００１７】
先ず、本発明に係る手動式移動棚装置は、複数のレール２，…に沿って複数の移動棚１が互いに移動可能に配置され、隣接する移動棚１，１が相対的に移動することによって、それらの間に所定幅の通路３が形成されるものである。そして、移動棚１の下端で各レール２，…に対応した位置に、駆動輪４と単又は複数の従動輪５を設け、移動棚１の前面中段に設けた操作ハンドル６の回転力を前記駆動輪４に小径スプロケット７、大径スプロケット８及びそれらに巻回したチェーン９で伝達する構造であり、また前記チェーン９の弛みを防止するために該チェーン９に弾性的に張力を加える弛み防止手段１０を備えている。
【００１８】
更に詳しくは、前記移動棚１は、台車１４に手動によって回転駆動される駆動輪４と該駆動輪４と同径の従動輪５を設け、台車１４の上部には複数の支柱１５，…で多段に棚板１６，…が保持された通常構造の収容部１７を設け、該収容部１７の少なくとも前面側には前面パネル１８を有している。そして、前記前面パネル１８の中段には前記操作ハンドル６と操作レバー１２を設け、該操作ハンドル６の軸部と双方向クラッチ機構を介して前記小径スプロケット７が連結され、また前記大径スプロケット８は前記台車１４の前端部に設けている。ここで、前記双方向クラッチ機構、小径スプロケット７及び大径スプロケット８は、前記前面パネル１８の背面に位置している。図示しないが、前記大径スプロケット８の軸と前記駆動輪４の軸は適宜な減速機構によって連係させている。
【００１９】
従って、前記操作ハンドル６を回転すると、前記両スプロケット７，８とチェーン９とによって、操作ハンドル６の回転方向と同一回転方向に駆動輪４が回転し、もって移動棚１を同方向に移動するのである。つまり、前記操作ハンドル６を右回りに回転させると移動棚１は右方向に移動し、操作ハンドル６を左回りに回転させると移動棚１は左方向に移動するのである。
【００２０】
更に詳しくは、図２、図３及び図５に示すように、前記移動棚１の前面側の支柱１５，１５に取付けられた支持板１９に前記スプロケット８以外の駆動部品を取付けるとともに、ロック機構１１及び感震ロック解除機構１３を取付けて構成する。そして、前記前面パネル１８で機構部を隠蔽し、前記操作ハンドル６と操作レバー１２のみを前面側へ露出するのである。
【００２１】
まず、前記ロック機構１１を図２及び図４に基づいて説明する。前記ロック機構１１は、前記操作レバー１２と上方のスプロケット７との間で、前記支持板１９と前面パネル１８とで囲まれた空間に設けられ、前記支持板１９の前面に取付けたベース板２０に切り起し形成した上下複数の案内板２１，２１によって上下スライド移動可能にロックロッド２２を垂設し、該ロックロッド２２が上昇した際にその上端が前記スプロケット７の歯の間に係合し、もってスプロケット７の回転を規制して前記駆動輪４の回転を停止するのである。そして、前記ロックロッド２２の中間部にはコイルばね２３を巻回し、該ロックロッド２２を下方へ弾性付勢している。一方、前記操作レバー１２の回転軸２４にはカム板２５が固定されており、該カム板２５の偏心位置と前記ロックロッド２２の下端部とを連結棒２６の両端に互に枢着している。また、前記回転軸２４の前端に直角に固定した固定棒２７に前記操作レバー１２を固定して、該操作レバー１２と回転軸２４とを回転に対して一体化している。
【００２２】
通常は、前記操作レバー１２と固定棒２７は上下方向に向けてあり、そのときには前記カム板２５は水平方向に向き、前記ロックロッド２２は最下方にスライドした位置にあり、前記スプロケット７とは噛合していないロック解除の状態にある。そして、前記前記操作レバー１２を水平になるまで右に回転させれば、コイルばね２３の弾性付勢力に抗して前記ロックロッド２２が上昇し、該ロックロッド２２と連結棒２６及びと回転軸２４が直線上に並んだ上死点を超えてへ字状の配置になり、準安定な状態となる。このとき、前記ロックロッド２２の上端が前記スプロケット７に噛合したロック状態である。ここで、前記カム板２５に外力を加えて左回転させれば、ロックロッド２２と連結棒２６及びと回転軸２４とがヘ字状から直線状を超え、その後はコイルばね２３の弾性付勢力によって初期のロック解除の状態まで移行する。ここで、ロック状態にあるロックロッド２２と連結棒２６及びと回転軸２４とがヘ字状から直線状になるまで前記カム板２５を回転させる外力が、本発明でいう「所定以上の外力を加えることにより解除し得る」ことに対応する。
【００２３】
次に、本発明を図２〜図１０に基づいて更に詳しく説明する。本発明は、前記移動棚１の台車１４の近傍に、下端に錘２９を設けた揺動部材２８を移動棚１の移動方向のみに揺動可能に枢支するとともに、該錘２９の位置を前記台車１４の下端部に設定し、前記ロック機構１１の近傍にロック解除するための作動部材３０を移動可能に設け、前記揺動部材２８の揺動を感震伝達機構３１によって前記作動部材３０に伝達して作動させ、前記ロック機構１１のロックを解除するものである。
【００２４】
更に詳しくは、前記作動部材３０は、その移動方向に弾性付勢し、弾性付勢力に抗して作動部材３０を移動させた状態でラッチ手段３２によって係止すると同時に、前記ロック機構１１をロック状態にセットし、前記揺動部材２８の揺動を感震伝達機構３１によって伝達して前記ラッチ手段３２を解除することにより、弾性付勢力で前記作動部材３０を駆動して前記ロック機構１１のロックを解除するのである。より具体的には、前記ロック機構１１の操作レバー１２の回転軸２４に固定されたカム板２５の一部に該回転軸２４と直交するように突片３３を設け、前記作動部材３０は前記カム板２５の近傍にスライド移動可能に設けるとともに、移動方向に弾性付勢し、更に前記作動部材３０の一部に前記突片に３３当接して駆動する操作片３４を設けるとともに、端部に前記ラッチ手段３２を設けている。
【００２５】
そして、前記感震伝達機構３１は、前面パネル１８の内部に回転可能に垂設したシャフト３５と、該シャフト３５の下端部に設け、前記揺動部材２８の揺動を回転に変換する回転変換手段３６と、前記シャフト３５の上端部に設け、該シャフト３５の回転で係脱する前記ラッチ手段３２とからなる。
【００２６】
前記作動部材３０は、図４〜図７に示すように、前記カム板２５の下方近傍位置で前記支持板１９に固定した台座３７にリニアガイド３８を介して取付けて、水平方向にスライド可能となっている。ここで、前記作動部材３０は、前記リニアガイド３８に直接取付ける取付板３９と該取付板３９に横方向の位置を微調節可能に取付ける作動板４０とからなり、前記取付板３９に前記操作片３４を支持板１９の方向に向けて屈曲形成するとともに、係止片４１を屈曲形成し、該係止片４１と前記台座３７の適所間に引張りコイルばね４２を介装して当該作動部材３０を右方向に弾性付勢している。この引張りコイルばね４２による弾性付勢力は、前記ロック機構１１のロック状態を解除するのに十分な大きな外力を発生させるものである。
【００２７】
また、前記作動板４０は、前記取付板３９よりも左方向にクランク状に屈曲して延び、その先端に前記ラッチ手段３２を構成する係止ピン４３を垂直に取付けている。尚、該係止ピン４３には回転可能にスリーブ４４を外挿している。従って実際に、ラッチ手段３２として係止するのはスリーブ４４であるが、以後の説明では係止ピン４３とする。
【００２８】
前記作動部材３０に設けた前記操作片３４は、前記回転軸２４の下方に位置し、ロック解除の状態では前記カム板２５は水平方向を向いているので、前記突片３３は水平方向右側を向いている。そして、前記操作レバー１２を右回りに９０°回転させると、前述のようにロック状態になるが、そのとき同時に、前記突片３３も右回りに回転するので前記操作片３４を右側から左方向へ押し、それにより前記作動部材３０が引張りコイルばね４２の弾性付勢力に抗して左方向へスライド移動し、このときラッチ手段３２にてその状態を維持するようにしている。
【００２９】
そには、前記シャフト３５の上端部を軸受部材４５で回転可能に支持するとともに、該シャフト３５にラッチ片４６を固定し、該ラッチ片４６で前記作動部材３０の係止ピン４３を係合するようになっている。また、前記ラッチ片４６が係止ピン４３に係合する方向に引張りコイルばね４７で弾性付勢している。このように、前記作動部材３０の係止ピン４３と前記ラッチ片４６とでラッチ手段３２を構成するのである。尚、前記軸受部材４５に正方形の断面を有するシャフト３５をスムーズに回転可能に支持するように、合成樹脂製のブッシュ４８で軸受片４９に支持している。
【００３０】
前記回転変換手段３６は、図８〜図１０に示すように、前記揺動部材２８の前記移動棚１の移動方向のみ、つまり前記支持板１９に平行な面内のみに制限した揺動するように支持するとともに、該揺動部材２８の右方向に揺れたときに前記シャフト３５が回転するように変換するものである。具体的には、軸受部材５０の上下の軸受片５１，５１に合成樹脂製のブッシュ５２を介して前記シャフト３５を回転可能に支持するとともに、軸受部材５０の中央部左右に屈曲形成した一対の支持片５３，５３に水平に支軸５４を保持するとともに、該支軸５４に前記揺動部材２８の上端部に水平方向に貫通させて設けた軸筒５５を遊挿し、更に前記軸受片５１，５１の間であって前記シャフト３５に回転不能に駆動部材５６を挿着するとともに、該駆動部材５６の一部に延設した駆動片５７を、前記揺動部材２８の上下中間部の右側に形成した切欠部５８内に位置させた構造である。前記支持片５３の一方は、前記支持板１９へ取付けるための取付板を兼ねている。
【００３１】
それにより、前記揺動部材２８が支軸５４を支点として左右に揺動すると、特に右方向に傾いたとき、前記切欠部５８内に位置した駆動片５７を右方向へ押して前記駆動部材５６を介して前記シャフト３５を前記ラッチ片４６が係合を解除する方向、本実施形態では平面視右回りに回転するのである。
【００３２】
そして、前記移動棚１を所定位置に停止した状態で、前記操作レバー１２を右回りに９０°回転させて前記ロック機構１１をロック状態にすると同時に、前記カム板２５の突片３３が前記作動部材３０の操作片３４を右方向に引張りコイルばね４２の弾性付勢力に抗して押して係止ピン４３を前記ラッチ片４６に係止する。この状態で、地震が発生して前記揺動部材２８が左右に揺れると、前記回転変換手段３６を介してシャフト３５を回転させ、前記ラッチ手段３２の係合が解除される。すると、前記作動部材３０はに引張りコイルばね４２の弾性付勢力によって力強く右方向へスライド移動し、前記操作片３４が前記突片３３を右方向に押してカム板２５を左回りに回転させ、もってロック機構１１のロックロッド２２を下降させてロック状態を解除するのである。
【００３３】
本実施形態では、前記台座３７を支持板１９にネジ止めして作動部材３０を取付け、前記軸受部材４５、５０を同様に支持板１９にネジ止めして揺動部材２８や感震伝達機構３１を取付けているが、これら前記揺動部材２８、作動部材３０及び感震伝達機構３１を同一のプレートに装着してユニット化し、該感震ロック解除ユニットを前記移動棚１のロック機構１１に関連付けて前記支持板１９に取付けるようにすることも好ましい実施形態である。
【図面の簡単な説明】
【００３４】
【図１】本発明に係る手動式移動棚の全体斜視図である。
【図２】本発明に係るロック機構及び感震ロック解除機構の全体を、前面パネルを省略して示した正面図である。
【図３】同じく側面図である。
【図４】ロック機構と作動部材の関係を示す部分拡大正面図である。
【図５】同じく横断平面図である。
【図６】作動部材の部分分解斜視図である。
【図７】同じく作動部材の全分解斜視図である。
【図８】揺動部材と回転変換手段を示し、（ａ）は要部の部分側面図、（ｂ）は要部の部分正面図である。
【図９】同じく揺動部材と回転変換手段を示す斜視図である。
【図１０】同じく揺動部材と回転変換手段の分解斜視図である。
【符号の説明】
【００３５】
１  移動棚、                ２  レール、
３  通路、                  ４  駆動輪、
５  従動輪、                ６  操作ハンドル、
７  スプロケット、          ８  スプロケット、
９  チェーン、              １０  弛み防止手段、
１１  ロック機構、          １２  操作レバー、
１３  感震ロック解除機構、  １４  台車、
１５  支柱、                １６  棚板、
１７  収容部、              １８  前面パネル、
１９  支持板、              ２０  ベース板、
２１  案内板、              ２２  ロックロッド、
２３  コイルばね、          ２４  回転軸、
２５  カム板、              ２６  連結棒、
２７  固定棒、              ２８  揺動部材、
２９  錘、                  ３０  作動部材、
３１  感震伝達機構、        ３２  ラッチ手段、
３３  突片、                ３４  操作片、
３５  シャフト、            ３６  回転変換手段、
３７  台座、                ３８  リニアガイド、
３９  取付板、              ４０  作動板、
４１  係止片、              ４３  引張りコイルばね、
４３  係止ピン、            ４４  スリーブ、
４５  軸受部材、            ４６  ラッチ片、
４７  引張りコイルばね、    ４８  ブッシュ、
４９  軸受片、              ５０  軸受部材、
５１  軸受片、              ５２  ブッシュ、
５３  支持片、              ５４  支軸、
５５  軸筒、                ５６  駆動部材、
５７  駆動片、              ５８  切欠部。
【図１】
2008162786.tif 000003
【図２】
2008162786.tif 000004
【図３】
2008162786.tif 000005
【図４】
2008162786.tif 000006
【図５】
2008162786.tif 000007
【図６】
2008162786.tif 000008
【図７】
2008162786.tif 000009
【図８】
2008162786.tif 000010
【図９】
2008162786.tif 000011
【図１０】
2008162786.tif 000012